(57)【特許請求の範囲】
【請求項１】
加熱手段を備えたグリル庫に対して出し入れ自在であって、かつ、グリル庫から完全に取り外すことのできる載置部材に被調理物を載置し、この載置部材に被調理物を載置した状態で載置部材をグリル庫内に収納し、グリル庫内の加熱手段によってグリル調理を行うグリル装置において、上記グリル調理が終了した後、上記載置部材をグリル庫から取り外して洗浄されたことを検知する洗浄検知手段を備え、グリル調理が終了した時点から所定時間が経過するまでにこの洗浄検知手段が載置部材が洗浄されたことを検知しない場合に、上記所定時間が経過した後に未洗浄である旨を報知する報知手段を設けたことを特徴とするグリル装置。
【請求項２】
上記載置部材にはグリル庫の入り口を開閉するグリル扉が連結されており、上記洗浄検知手段は、上記グリル調理が終了した時点から所定時間内にグリル庫の入り口が開放された回数が所定回数を超えた場合に、載置部材が洗浄されたものと判断することを特徴とする請求項１に記載のグリル装置。
【請求項３】
上記載置部材にはグリル庫の入り口を開閉するグリル扉が連結されており、上記洗浄検知手段は、上記グリル調理が終了した時点から所定時間以内でのグリル庫の開放時間が継続して一定の時間を超えた場合に、載置部材が洗浄されたものと判断することを特徴とする請求項１または請求項２に記載のグリル装置。
【請求項４】
上記グリル庫にはグリル庫内の温度を検知する庫内温度検知手段が設けられており、上記洗浄検知手段は、上記グリル調理が終了した時点から所定時間内での庫内温度の降下速度が所定速度以上の場合に、載置部材が洗浄されたものと判断することを特徴とする請求項１から請求項３のいずれかに記載のグリル装置。
【請求項５】
上記グリル庫には、グリル庫内から上記載置部材が引き出されたことを検知する近接手段が設けられており、上記洗浄検知手段は、上記グリル調理が終了した時点から所定時間以内での載置部材が引き出されている時間が継続して一定の時間を超えた場合に、載置部材が洗浄されたものと判断することを特徴とする請求項１から請求項４のいずれかに記載のグリル装置。
【請求項６】
上記報知手段は、予め登録された携帯端末に未洗浄である旨を表示させることを特徴とする請求項１から請求項５のいずれかに記載のグリル装置。
【請求項７】
上記載置部材は、被調理物から滴下する液体を捕集する汁受け皿と、この汁受け皿の上部に連結された焼き網とから構成されることを特徴とする請求項１から請求項６のいずれかに記載のグリル装置。
【発明の詳細な説明】
【技術分野】
【０００１】
本発明は、グリル調理される被調理物を載置する載置部材を備えたグリル装置に関する。
【背景技術】
【０００２】
ガステーブルなどに組み込まれたグリル装置では、グリル庫内に出し入れ自在の載置部材を備えており、この載置部材上に被調理物を載置した状態でグリル調理を行う（例えば、特許文献１参照）。
【０００３】
被調理物として魚を調理する場合、グリル庫内で魚を加熱すると、魚から油がしみ出し、載置部材に付着して載置部材を汚してしまう。グリル調理が終了した後、載置部材を洗浄することなくそのまま放置すると、次回グリル調理を行う場合に、前回の油などが載置部材にこびりついており、そのままグリル調理を行うと発煙などの原因となる。また、載置部材を洗浄しないで何度もグリル調理を行うと、油などの汚れが載置部材にこびりついて除去しづらくなる。
【０００４】
そのため、グリル装置の使用説明書などに、グリル調理を行う毎にグリル調理終了後、載置部材を洗浄するように指示されている。
【先行技術文献】
【特許文献】
【０００５】
【特許文献１】特開２０１５−９０３９号公報（段落０００２）
【発明の概要】
【発明が解決しようとする課題】
【０００６】
上記従来のグリル装置では、載置部材を洗浄することが使用説明書などに示されていても、グリル調理直後は載置部材が高温であるため、グリル調理終了後、ある程度の時間が経過しなければ載置部材を洗浄しづらい。そのため、載置部材の冷却を待つ間に載置部材を洗浄することを失念してしまう場合が生じるおそれがある。
【０００７】
そこで本発明は、上記の問題点に鑑み、グリル調理終了後に載置部材の洗浄を失念することのないグリル装置を提供することを課題とする。
【課題を解決するための手段】
【０００８】
上記課題を解決するために本発明によるグリル装置は、加熱手段を備えたグリル庫に対して出し入れ自在であって、かつ、グリル庫から完全に取り外すことのできる載置部材に被調理物を載置し、この載置部材に被調理物を載置した状態で載置部材をグリル庫内に収納し、グリル庫内の加熱手段によってグリル調理を行うグリル装置において、上記グリル調理が終了した後、上記載置部材をグリル庫から取り外して洗浄されたことを検知する洗浄検知手段を備え、グリル調理が終了した時点から所定時間が経過するまでにこの洗浄検知手段が載置部材が洗浄されたことを検知しない場合に、上記所定時間が経過した後に未洗浄である旨を報知する報知手段を設けたことを特徴とする。
【０００９】
グリル調理後に載置部材が未洗浄であると、未洗浄検知手段がその旨を検知して報知手段が未洗浄である旨を報知する。これにより、載置部材の洗浄を忘れることが防止される。
【００１０】
なお、載置部材が未洗浄であることを検知するためには、例えば、上記載置部材にはグリル庫の入り口を開閉するグリル扉が連結されており、上記洗浄検知手段は、上記グリル調理が終了した時点から所定時間内にグリル庫の入り口が開放された回数が所定回数を超えた場合に、載置部材が洗浄されたものと判断することが考えられる。
【００１１】
あるいは、上記載置部材にはグリル庫の入り口を開閉するグリル扉が連結されており、上記洗浄検知手段は、上記グリル調理が終了した時点から所定時間以内でのグリル庫の開放時間が継続して一定の時間を超えた場合に、載置部材が洗浄されたものと判断するようにしてもよい。
【００１２】
また、上記グリル庫にはグリル庫内の温度を検知する庫内温度検知手段が設けられており、上記洗浄検知手段は、上記グリル調理が終了した時点から所定時間内での庫内温度の降下速度が所定速度以上の場合に、載置部材が洗浄されたものと判断するようにしてもよい。
【００１３】
さらには、上記グリル庫には、グリル庫内から上記載置部材が引き出されたことを検知する近接手段が設けられており、上記洗浄検知手段は、上記グリル調理が終了した時点から所定時間以内での載置部材が引き出されている時間が継続して一定の時間を超えた場合に、載置部材が洗浄されたものと判断するようにしてもよい。
【００１４】
なお、上記報知手段は、予め登録された携帯端末に未洗浄である旨を表示させることが望ましい。
【００１５】
上記載置部材は、被調理物から滴下する液体を捕集する汁受け皿と、この汁受け皿の上部に連結された焼き網とから構成される。
【発明の効果】
【００１６】
以上の説明から明らかなように、本発明は、グリル調理後に載置部材が未洗浄であればその旨が報知されるので、載置部材の洗浄を忘れることを防止できる。
【図面の簡単な説明】
【００１７】
【図１】グリル装置を備えたガステーブルの外観を示す図
【図２】載置部材をグリル庫から取り出した状態を示す図
【図３】未洗浄を報知する処理を示すフロー図
【発明を実施するための形態】
【００１８】
図１を参照して、１は本発明によるグリル装置が組み込まれているガステーブルで有り、このガステーブル１の前面の中央部分にグリル装置２が組み込まれている。
【００１９】
図２を参照して、このグリル装置２はガステーブル１に固定されたグリル庫２１と、そのグリル庫２１の前面の開口を開閉するグリル扉２２とを備えている。このグリル扉２２の背面側には枠状のレール２３が取り外し自在に連結されており、そのレール２３に汁受け皿２４が載置され、さらにその汁受け皿２４上に焼き網２５が載置されている。
【００２０】
グリル扉２２がグリル庫２１を閉めている状態からグリル扉２２を手前に引くと、グリル扉２２と共にレール２３が引き出され、レール２３上に載置されている汁受け皿２４および焼き網２５も共にグリル庫２１から引き出される。
【００２１】
グリル調理を行う際には魚などの被調理物を、引き出された状態の焼き網２５上に載置し、グリル扉２２を押してグリル扉２２でグリル庫２１の開口を閉じる。その状態では、焼き網２５上の被調理物はグリル庫２１内に位置するので、グリル庫内のガスバーナに点火してグリル調理を行う。グリル調理が終了すると、ガスバーナを消火し、上述のようにグリル扉２２を手前に引いて焼き網２５と共に被調理物をグリル庫２１から手前に引き出す。
【００２２】
このグリル調理中に被調理物からにじみ出す油などは、焼き網２５および汁受け皿２４に付着して焼き網２５および汁受け皿２４を汚す。本実施の形態では、焼き網２５および汁受け皿２４を載置部材として、グリル調理後の載置部材の未洗浄の報知について以下に説明する。
【００２３】
図３を参照して、グリル調理を行うためには、上述のようにグリル庫２１内のガスバーナに点火され（Ｓ１）、そしてグリル調理を終了する際にはそのガスバーナを消火する（Ｓ２）。ただし、例えば誤ってグリル庫内のガスバーナに点火した場合などでは、誤りに気がついてすぐにガスバーナを消火する。すると、そのような場合には、グリル庫２１内の温度はグリル調理に必要な温度まで上昇しない。逆に、グリル調理がされた場合にはグリル庫２１内の温度は十分に上昇する。
【００２４】
そこで、実際にグリル調理が行われたか否かを判断するため、グリル庫２１内の温度を検知する温度センサをグリル庫２１内に設け、グリル庫２１内の温度を検知し（Ｓ３）、検知された温度が例えば１００℃を超えた場合にグリル調理がされ、１００℃を超えない場合にはグリル調理がされなかったものと判断することとした（Ｓ４）。
【００２５】
グリル調理がされたと判断した場合には、ガスバーナが消火された後、タイマーｔをリセットし、例えば６０分待つこととした（Ｓ５，Ｓ６）。グリル調理終了直後では、載置部材である焼き網２５や汁受け皿２４が高温で有り、洗浄するには不適である。そこで、このように６０分待つことによって、焼き網２５や汁受け皿２４が洗浄することのできる温度まで冷え、この６０分の間に洗浄が完了するであろうと想定した。
【００２６】
次に、６０分経過時点で載置部材である焼き網２５や汁受け皿２４が洗浄されたか否かを判断するが（Ｓ７）、洗浄されたか否かを判断する手法としては、以下に説明する複数の手法が考えられる。
【００２７】
第１に、グリル庫２１の開口付近にスイッチを設け、グリル扉２２が引き出されグリル庫２１が開放されている時間を計測するように構成する。グリル調理が終了すると、上述のように、焼き網２５上に載置されている被調理物を焼き網２５上から取り出す必要がある。このため、グリル庫２１の開口は比較的長い時間、開放されることになる。そして、被調理物を取り出した後、焼き網２５や汁受け皿２４がグリル庫２１から飛び出したままの状態では邪魔であるので、一旦グリル庫２１の開口はグリル扉２２によって閉じられるものと考えられる。その後、載置部材である焼き網２５や汁受け皿２４を洗浄する場合には、再びグリル扉２２を手前に引いてグリル庫２１を開放し、焼き網２５や汁受け皿２４をレール２３から取り外すことになる。その際、グリル庫２１は比較的長い時間開放される。焼き網２５や汁受け皿２４が取り外された後、一旦グリル庫２１が閉じられるが、洗浄した焼き網２５や汁受け皿２４をレール２３上にセットするため、再度比較的長い時間、グリル庫２１が開放される。したがって、例えば、グリル調理が終了した時点から６０分の間に、２回以上グリル庫２１が開閉されれば、焼き網２５や汁受け皿２４が洗浄されたものと判断することができる。
【００２８】
第２に、上述の第１の手法では、洗浄のため焼き網２５や汁受け皿２４を取り外した後、一旦グリル庫２１を閉めることを想定しているが、焼き網２５や汁受け皿２４を洗浄する間グリル庫２１を開放したままにすれば、非常に長時間、グリル庫２１は開放されたままになる。このように、グリル庫２１が開放されている時間から、焼き網２５や汁受け皿２４が洗浄されたか否かを判断することができる。例えば、グリル調理が終了した時点から６０分の間に、グリル庫の開放時間が、継続して１０分を超えた場合に焼き網２５や汁受け皿２４が洗浄されたものと判断することができる。
【００２９】
第３に、グリル庫２１内には上述のように温度センサが設置されているので、その温度センサの検知温度から焼き網２５や汁受け皿２４が洗浄されたか否かを判断する。グリル調理が終了し被調理物を取り出した後グリル庫２１が閉じられたままであれば、グリル庫２１内の温度は緩やかに連続して低下していく。ところが、焼き網２５や汁受け皿２４を洗浄した場合には、グリル庫２１が開放されるので、グリル庫２１内の温度の低下速度が速くなる。また、洗浄によって冷却された焼き網２５や汁受け皿２４がグリル庫２１内に戻されると、グリル庫２１内の熱が焼き網２５や汁受け皿２４に奪われるので、やはりグリル庫２１内の温度の低下速度が速くなる。このように、グリル庫２１内の温度の低下速度から焼き網２５や汁受け皿２４が洗浄されたか否かを判断することができる。例えば、グリル調理が終了した時点から６０分の間に、庫内温度の降下速度が１００℃／分以上となった場合に、焼き網２５や汁受け皿２４が洗浄されたものと判断することができる。
【００３０】
第４に、グリル庫２１の底面にマイクロスイッチを設け、汁受け皿２４がグリル庫２１内にある場合にはそのマイクロスイッチがＯＮし、汁受け皿２４がグリル庫２１から引き出されるとオフになるように設定することによって、汁受け皿２４がグリル庫２１から引き出されたことを直接検知できるように構成しておく。汁受け皿２４が洗浄される場合には比較的長時間、このマイクロスイッチがオフの状態になるので、そのことから汁受け皿２４が洗浄のため取り出されたものと判断することができる。なお、焼き網２５は汁受け皿２４上に載置されているので、汁受け皿２４が洗浄されたならば焼き網２５も同時に洗浄されたものと判断する。例えば、グリル調理が終了した時点から６０分の間に、マイクロスイッチがオフの状態が継続して１０分を超えた場合に、焼き網２５や汁受け皿２４が洗浄されたものと判断することができる。
【００３１】
これらの手法の内、いずれか、もしくは複数の手法により洗浄が完了するまではガステーブル１に未洗浄である旨の報知をランプやブザーで行うと共に、使用者が携帯する携帯端末に未洗浄の旨を表示する（Ｓ８）。この携帯端末とは、未洗浄報知用の専用のものを用意してもよいが、携帯電話やスマートフォンを携帯端末として、無線ＬＡＮで相互通信をしてもよく、あるいはブルートゥース（登録商標）等の近距離通信を用いて直接グリル装置２と携帯端末との間で相互通信を行うようにしてもよい。
【００３２】
そして、洗浄が完了すればガステーブル１での報知や携帯端末での表示をオフにして処理を終了する（Ｓ９）。
【００３３】
なお、本発明は上記した形態に限定されるものではなく、本発明の要旨を逸脱しない範囲内において種々の変更を加えてもかまわない。
【符号の説明】
【００３４】
１  ガステーブル
２  グリル装置
２１  グリル庫
２２  グリル扉
２３  レール
２４  汁受け皿
２５  焼き網
【図１】
0006317284.tif 000002
【図２】
0006317284.tif 000003
【図３】
0006317284.tif 000004